(57)【特許請求の範囲】
【請求項１】
ケーブルの一端がスプリングを介して固定部位に取り付けられ前記ケーブルの他端が駆動プーリに接続され前記ケーブルの途中に走査キャリッジが取り付けられた画像読み取り装置において、前記駆動プーリに回転駆動力を付与するステッピングモータと、前記スプリングの急激な弾性変形は阻止するが緩やかな弾性変形は許容する粘性体を前記ケーブルの前記一端の固定端部の近傍に設けたことを特徴とする画像読み取り装置。
【請求項２】
画像読み取り装置のフレームに設けられたブラケットと、前記ケーブルの前記一端に固定されたケーブル端子部材とを有し、前記スプリングは、一端が前記固定部位にて装置に固定され、他端が前記ケーブル端子部材に接続され、かつ、前記粘性体は、前記ブラケットと前記ケーブル端子部材との間に挟み込まれたことを特徴とする請求項１に記載の画像読み取り装置。
【請求項３】
前記スプリングは前記粘性体によって覆われていることを特徴とする請求項１に記載の画像読み取り装置。
【発明の詳細な説明】
【０００１】
【産業上の利用分野】
本発明は、複写機、イメージスキャナ等に搭載され、ミラーや照明系を走査する光学系走査形式の画像読み取り装置に関する。
【０００２】
【従来の技術】
光学走査型の原稿読み取り装置では、通常、３枚程度のミラーを使用し、モータ等の駆動力をベルト・ケーブル等の駆動部材を介し、ミラーや照明系を搭載しているキャリッジを駆動、走査するように構成されている。ケーブルを駆動部材として使用する場合、ケーブルに張力を与えるためにスプリング等の弾性部材を用いるのが一般的である。スプリングは、経時的なケーブル伸びを吸収すると同時に、アイドルプーリ等の偏芯等で生ずるケーブル長の変化によって引き起こされる光路長変化を抑える役割も担つている。しかし、復動時の立ち上がりなど、瞬間的にケーブルに大きな張力がかかると、弾性部材が大きく変形し、ケーブルの外れや巻き乱れが発生する可能性がある。
【０００３】
この問題を解決するために、特開昭６２−４２１４１号公報では、ケーブルを固定軸に巻回することで、ケーブルの経時的な伸びを吸収し、衝撃力によるスプリングの伸びと、ケーブルのたるみ、外れ等のトラブルを防いでいる。
【０００４】
【発明が解決しようとする課題】
しかしながら、上記公報に記載の従来技術においては、アイドルプーリの偏芯などによるケーブルの周期的なケーブル長変化が生じた場合、スプリングが追従せずにケーブルの張力に周期的な変動が生じ、ケーブル伸び等により光路長変化が発生し、読み取り精度が劣化する可能性がある。
【０００５】
本発明は、上述した課題に鑑みてなされたもので、その目的とするところは、急激な荷重変動に対して抵抗し、緩やかな荷重変動には追従して変形する張力付与手段を用いることにより、ケーブルの外れや巻き乱れを防止しつつ、アイドルプーリ等の偏芯等で生ずるケーブル長の変化によって引き起こされる光路長変化を抑え、光路長変化や共振による読み取り精度の劣化を引き起こさない原稿読み取り装置を提供することにある。
【０００６】
【課題を解決するための手段】
本発明は、前記目的を達成するため、ケーブルの一端がスプリングを介して固定部位に取り付けられ前記ケーブルの他端が駆動プーリに接続され前記ケーブルの途中に走査キャリッジが取り付けられた画像読み取り装置において、前記駆動プーリに回転駆動力を付与するステッピングモータと、前記スプリングの急激な弾性変形は阻止するが緩やかな弾性変形は許容する粘性体を前記ケーブルの前記一端の固定端部の近傍に設けたことを特徴とする。また、画像読み取り装置のフレームに設けられたブラケットと、前記ケーブルの前記一端に固定されたケーブル端子部材とを有し、前記スプリングは、一端が前記固定部位にて装置に固定され、他端が前記ケーブル端子部材に接続され、かつ、前記粘性体は、前記ブラケットと前記ケーブル端子部材との間に挟み込まれたことを特徴とする。さらに、前記スプリングは前記粘性体によって覆われていることを特徴とする。
【０００７】
【作用】
走査キャリッジの復動時立ち上がりなど、瞬間的にケーブルに大きな張力がかかったときは、粘性体はあまり弾性変形しないので、ケーブルの張力が直接スプリングに加わることなく、スプリングが過度に延びることがない。また、アイドルプーリ等の偏芯等によって周期的にケーブルの張力が変化したような場合には、粘性体はこの張力の変化に追従して弾性変形し、周期的なケーブル長の変化を吸収する。
【０００８】
【実施例】
以下、本発明に係る原稿読み取り装置の一実施例を、図面に基づいて具体的に説明する。図１は、原稿読み取り装置を示す概略平面図及び概略側面図である。
【０００９】
本実施例の原稿読み取り装置は、原稿が載置されるプラテンンガラス１と、このプラテンガラス１に沿って移動可能に支持され、原稿を照射する露光ランプ２と第１のミラー３を搭載したランプキャリッジ４と、このランプキャリッジ４と同じ方向へ移動可能に支持され、第２のミラー５及び第３のミラー６を搭載したミラーキャリッジ７と、原稿からの反射光を第１、第２、第３のミラー３、５、６及びレンズ（図示せず）を介して検知するイメージセンサ８と、ランプキャリッジ４及びミラーキャリッジ７をケーブル９を介して駆動するキャブスタンプーリー１０と、この駆動プーリー１０を支持する支持軸１１と、支持軸１１に回転駆動力を付与するステッピングモーター１２とを有している。ランプキャリッジ４とミラーキャリッジ７は、原稿を走査して原稿の画像を読み取る走査キャリッジを構成する。
【００１０】
上記ランプキャリッジ４は、一部がケーブル９に固着され、ケーブル９を介して駆動プーリー１０により駆動され、往復動するようになっている。また、往時（図１中に示す矢印Ｃの方向への移動時）には、露光ランプ２が点灯して原稿面へ光を照射し、原稿面から得た反射光が第１のミラー３で反射してミラーキャリッジ７の第２のミラー５へ導びかれるようになっている。読み取りが終了すると露光ランプ２は消灯されようになっている。
【００１１】
上記ミラーキャリッジ７は、ランプキャリッジ４の第１のミラー３から導かれて来た原稿からの反射光、すなわち、像光を第２のミラー５及び第３のミラー６に順に反射し、イメージセンサ８へ導くようになっている。このミラーキャリッジ７は、回転自在に取り付けられた小プーリー１７ａ、１７ｂを備え、ケーブル９がこの小プーリー１７ａ、１７ｂに懸け渡され、ミラーキャリッジ７は、スプリング１６によって張力を与えられたケーブル９を介してプーリー１０によってランブキャリッジ４と同方向に往復駆動されるようになっている。このとき、小プーリー１７ａ、１７ｂは動滑車の役目を果たし、ミラーキャリッジ７はランブキャリッジ４の１／２の速度で駆動され、像光が常に一定の光路長でイメージセンサ８に届くようになっている。
【００１２】
上記ステッピングモーター１２は、露光走査時には、走査の速度に応じた周波数のパルスが入力され、所定の速度で回転し、駆動べルト１８を介して支持軸１１を駆動するようになっている。また、戻り走査時には、露光走査時と逆方向に高速で回転するようにパルスが入力されるようになっている。
【００１３】
ここで、本実施例においては、図２の原理図に示すように、ケーブル９に張力を与えるスプリング１６に粘性体１７が併設されている。粘性体１７はゆっくりとした変形に対してはほぼ抵抗なく追従するが、衝撃荷重のような短時間の変形に対しては抵抗し、ほとんど変形しない。したがって、アイドルプーリ等の偏芯等で生ずる周期的なケーブル長の変化は吸収し、復動時立ち上がりなど、瞬間的にケーブル９に大きな張力がかかったときは抵抗して、ケーブル９の外れや巻き乱れを防止する。
【００１４】
図３（ａ），（ｂ）は、実際の応用例を示している。図３（ａ）において、１８は原稿読み取り装置のフレームに設けられたブラケットであり、粘性体１７が、ケーブル９の端部に固定されたケーブル端子１９とブラケット１８の間に挟み込まれている。この粘性体１７の材料としては、アスファルト材を含浸したウレタンフォーム材や、商品名「α−ゲル」、「ソルボセイン」などの高分子材料、高粘度のシリコンオイルをゴム製の容器に封入したものなどを用いる。また、図３（ｂ）に示すように、スプリング１６をこれらの粘性体１７の材料で覆つても同様の効果が得られる。
【００１５】
また、粘性体１７を設けることによる副次的な効果として、特にステッピングモーター１２でケーブル９を駆動する場合に生じる、特定倍率でのスプリングとモータ振動との共振による読み取り品質の劣化を抑制する効果がある。
【００１６】
【発明の効果】
以上に述べたように、本発明においては、ケーブルに張力を与えるスプリングの急激な弾性変形は阻止するが緩やかな弾性変形は許容する粘性体を前記ケーブルの固定端部の近傍に設けたので、復動時立ち上がりなど、瞬間的にケーブルに大きな張力がかかったときは抵抗して、ケーブルの外れや巻き乱れを防止することができるだけでなく、アイドルプーリ等の偏芯等で生ずる周期的なケーブル長の変化も吸収することができ、光路長変化による読み取り精度の劣化を抑えることができる。さらに、ステッピングモータで駆動する場合に生じる可能性がある特定倍率でのケーブルの一端に取り付けられたスプリングとモータ振動との共振による読み取り品質の劣化を抑制し、高精度な読取りを行うことができる。
【図面の簡単な説明】
【図１】  （ａ），（ｂ）は本発明の原稿読み取り装置の実施例をを示す概略平面図及び概略側面図である。
【図２】  本発明の原稿読み取り装置の要部の概念図である。
【図３】  （ａ），（ｂ）は本発明の原稿読み取り装置のそれぞれ異なる実施例の要部を示す拡大断面図である。
【符号の説明】
１…プラテンガラス、２…露光ランプ、３…第１のミラー、４…ランプキャリッジ、５…第２のミラー、６…第３のミラー、７…ミラーキャリッジ、８…イメージセンサ、９…ケーブル、１０…駆動プーリー、１１…支持軸、１２…ステッピングモーター、１６…スプリング、１７…粘性材、Ｉ８…ブラケット
【図１】
0003659428.tif 000002
【図２】
0003659428.tif 000003
【図３】
0003659428.tif 000004